(57)【要約】【課題】サージングの発生を抑制し、その作動範囲をより一層広げつつ、その作動効率を高めることを目的とする。【解決手段】ディフューザ部３０において、環状円板部３１と環状円板３２との間のディフューザ流路３５に対し、連通部４０Ａを通して、ボリュート部２２からディフューザ流路３５内に高圧圧縮流体を送り込むことで、環状円板３２からの生じた剥離による逆流領域Ｈがディフューザ部３０の後縁に向けて延びるのを防ぐ。【選択図】図２
2014114727.tif 000002
【特許請求の範囲】
【請求項１】
ハブおよびその外周面に取り付けられた複数の遠心羽根を有する羽根車と、
前記羽根車を回転可能に収容するケーシングと、を備え、
前記ケーシングは、前記羽根車の回転によって外部から吸込まれた流体を前記羽根車に向けて導く吸込流路と、
前記羽根車の外周側に環状に形成され、前記羽根車の回転によって外周側に吐出される前記流体の流れを減速させるディフューザ部と、
前記ディフューザ部の外周側に形成され、周方向に沿って断面積が漸次増大する渦巻き状のボリュート部と、
前記ボリュート部の断面積が最大の部分から外周側に向けて延びる出口管と、
前記ディフューザ部において前記流体が流れるディフューザ流路の側壁面に形成され、前記ボリュート部内と前記ディフューザ流路内とを連通する連通部とを備え、
前記連通部のディフューザ流路側の開口部が、前記ディフューザ流路の下流側に形成されていることを特徴とする遠心圧縮機。
【請求項２】
前記連通部は、前記ディフューザ部の周方向に沿って間隔を隔てて複数形成されていることを特徴とする請求項１に記載の遠心圧縮機。
【請求項３】
前記連通部は、少なくとも、前記ボリュート部の断面積が最大の部分の内周側に形成されていることを特徴とする請求項１または２に記載の遠心圧縮機。
【請求項４】
前記連通部は、少なくとも、前記側壁面側の端部が、前記ディフューザ部の内周側から外周側に向けて傾斜して形成されていることを特徴とする請求項１から３のいずれか一項に記載の遠心圧縮機。
【請求項５】
前記連通部は、少なくとも、前記側壁面側の端部が、前記遠心羽根の外周側端部と平行に形成されていることを特徴とする請求項１から４のいずれか一項に記載の遠心圧縮機。
【発明の詳細な説明】
【技術分野】
【０００１】
本発明は、流体を昇圧して圧縮流体とする遠心圧縮機に関し、特に圧縮流体の吐出側に設けられるディフューザ部を備えた遠心圧縮機に関するものである。
【背景技術】
【０００２】
遠心圧縮機は、回転するハブおよびその外周面に取り付けられた多数の遠心羽根を有した羽根車と、羽根車を収納するとともに流体の流路を形成するケーシングとで主として構成されている。
【０００３】
流体の流路としては、羽根車の回転によって外部から流体を吸い込んで羽根車に導く吸込流路と、羽根車の外周側で略円環状をなし、羽根車から吐出される気流を減速させることで静圧を回復させるディフューザ部と、ディフューザ部の外周側に設けられ、断面積が周方向に沿って拡大するように形成され、気流を減速・昇圧する渦巻状のボリュート部および出口管と、が設けられている。
【０００４】
このような遠心圧縮機においては、羽根車が回転すると、羽根車が外部から導入したガスや空気等の流体を圧縮する。こうして形成された流体の流れ（気流）は、羽根車の外周端からディフューザ部およびボリュート部を通って出口管から外部へ送出される。
【０００５】
ところで、遠心圧縮機では、特有の周期で圧縮空気を吐出することによって圧力および流量が変動し、一種の自励振動を起こすサージングという現象が発生する。このサージングが発生する圧力および流量が小流量側の作動限界を決定するものである。
一方で、流量が増加すると羽根車またはディフューザ部でチョーキングと呼ばれる流体の閉塞が発生し、大流量側の流量範囲が制限される。
したがって、遠心圧縮機においては、安定した作動を実現するために、小流量側ではサージングが発生せず、大流量側ではチョーキングが生じないような作動範囲で作動させる必要がある。
【０００６】
ところで、ディフューザ部においては、小流量側では、ディフューザ流路内にディフューザ流路壁から剥離が発生し、その剥離によって生じる逆流領域がディフューザ部の後縁に達したときに、ボリュート部からの逆流が羽根車に達してサージングに至ると言われている。
【０００７】
そこで、例えば、特許文献１に記載された技術においては、ディフューザの壁面の裏側に、流体の流動方向に沿って循環通路を設け、この循環通路の第１開口をディフューザの壁面のインペラ（羽根車）の流体出口側に形成し、第２開口をディフューザの壁面の吐出口側に形成している。
このような構成においては、逆流が生じやすいディフューザの壁面近傍を流れる流体は、第２開口から循環通路に進入して第１開口から吐出する循環流となり、ディフューザでの見掛けの流量が増加する。これにより、壁面の近傍の流れがスムーズなものとなり、流体の逆流の生成を抑制してサージングまでの流量範囲を拡大することができる。その結果、ディフューザとしての機能を損なうことなく低流量時における流体の逆流によるサージングの発生を確実に抑制することができる。
【０００８】
また、特許文献２に記載された技術においては、ディフューザ流路に流れる流体の一部をディフューザ流路における下流側領域から上流側領域まで循環流体として戻す循環流路を備え、循環流路に流れる流体は、冷却手段により冷却される構成を有している。
これにより、循環流路を流れる流体は冷却されてディフューザ流路の上流側領域に戻される。これにより、遠心圧縮機の圧縮性能が向上するものとなっている。
【先行技術文献】
【特許文献】
【０００９】
【特許文献１】特開２００５−２４０６８０号公報
【特許文献２】特開２０１０−１５１０３４号公報
【発明の概要】
【発明が解決しようとする課題】
【００１０】
しかし、遠心圧縮機の作動範囲をさらに広げることが常に要求されており、依然として改善の余地がある。
特許文献１，２に記載の技術は、いずれも、ディフューザ流路内を流れる流体の一部を循環させて見掛けの流量を増大させることによって、流体の逆流の生成を抑制しているため、実質的な作動効率が低下している。
本発明は、このような事情に鑑みてなされたものであって、サージングの発生を抑制して作動範囲をより一層広げつつ、その作動効率を高めることのできる遠心圧縮機を提供することを目的とする。
【課題を解決するための手段】
【００１１】
上記課題を解決するために、本発明の遠心圧縮機は以下の手段を採用する。
すなわち、本発明は、ハブおよびその外周面に取り付けられた複数の遠心羽根を有する羽根車と、前記羽根車を回転可能に収容するケーシングと、を備え、前記ケーシングは、前記羽根車の回転によって外部から吸い込まれた流体を前記羽根車に向けて導く吸込流路と、前記羽根車の外周側に環状に形成され、前記羽根車の回転によって外周側に吐出される前記流体の流れを減速させるディフューザ部と、前記ディフューザ部の外周側に形成され、周方向に沿って断面積が漸次増大する渦巻き状のボリュート部と、前記ボリュート部の断面積が最大の部分から外周側に向けて延びる出口管と、前記ディフューザ部において前記流体が流れるディフューザ流路の側壁面に形成され、前記ボリュート部内と前記ディフューザ流路内とを連通する連通部と、を備え、前記連通部のディフューザ流路側の開口部が、前記ディフューザ流路の下流側に形成されていることを特徴とする。
このような遠心圧縮機は、羽根車の回転により、外部から吸い込まれた流体が、吸込流路を経て、羽根車の外周側のディフューザ部に吐出されて減速され、ボリュート部へと流れ込む。ボリュート部においては、断面積が小さい側から大きい側へと流体が流れ、出口管から外部に高圧圧縮流体として吐出される。
このとき、ディフューザ部においては、連通部を通して、ボリュート部内の高圧圧縮流体が、ディフューザ流路内に吐出される。これによってディフューザ壁面から発生した剥離に伴う逆流領域がディフューザ部後縁に達する流量をより小さくしてサージングまでの流量範囲を拡大することができる。しかも、ディフューザ部を通過した高圧圧縮流体をボリュート部から循環させることで、ディフューザ部における効率を低下させることがない。
このような連通部は、前記ディフューザ部の周方向に沿って間隔を隔てて複数形成されているのが好ましい。連通部は、貫通孔としても良いし、ディフューザ部の周方向に連続するスリットとしても良い。
【００１２】
ところで、ディフューザ下流には、断面積が周方向に沿って渦巻状に拡大するボリュート部等、非軸対称構造物が存在する場合が多い。この影響により、ディフューザ下流においては、周方向に不均一な静圧分布が存在する。この不均一な静圧分布によって、上記の逆流領域のディフューザ流路壁に対する半径方向の長さが周方向に異なる。そして、逆流領域が、最も早く後縁に達した箇所からサージングを起こすと考えられている。
そこで、前記連通部は、少なくとも、前記ボリュート部の断面積が最大の部分の内周側に形成するのが好ましい。
【００１３】
さらに、前記連通部は、少なくとも、前記側壁面側の端部を、前記ディフューザ部の内周側から外周側に向けて傾斜して形成しても良い。これにより、連通部からディフューザ流路内に吐出する高圧圧縮流体を、ディフューザ壁面に沿わせることができ、流体の逆流の生成を効果的に抑制できる。
【００１４】
また、前記連通部は、少なくとも、前記側壁面側の端部が、前記遠心羽根の外周側端部と平行に形成されている構成としても良い。
【発明の効果】
【００１５】
本発明の遠心圧縮機によれば、サージングの発生を抑制し、その作動範囲をより一層広げつつ、その作動効率を高めることが可能となる。
【図面の簡単な説明】
【００１６】
【図１】本発明の第１実施形態に係る遠心圧縮機の部品構成を示す図である。
【図２】本発明の第１実施形態に係る遠心圧縮機の軸線に沿った半断面図である。
【図３】本発明の第１実施形態に係る遠心圧縮機のディフューザ部における流体の流れの様子を示す図である。
【図４】本発明の第２実施形態に係る遠心圧縮機の要部の構成を示す図である。
【発明を実施するための形態】
【００１７】
以下に、本発明に係る遠心圧縮機の実施形態について、図面を参照しつつ説明する。
〔第１実施形態〕
本発明の第１実施形態にかかる遠心圧縮機１０について説明する。
図１、図２に示すように、遠心圧縮機１０は、図示しないモータまたはタービンなどの駆動装置により回転駆動される回転軸１１と、回転軸１１回りに回転する羽根車１２と、回転軸１１および羽根車１２を収容するとともに流体の流路を形成するケーシング２０と、を具備している。
【００１８】
羽根車１２は、回転軸１１と一体に設けられたハブ１３と、ハブ１３の外周面に設けられた複数のブレード（遠心羽根）１４と、が備えられている。ハブ１３は、回転軸１１の一端側の端部１３ａから他端側の端部１３ｂに向けて、その外径が漸次拡大する湾曲面１３ｃが形成されている。複数のブレード１４は、ハブ１３の湾曲面１３ｃに、周方向に等間隔に配置されている。ここで図１に示すように、ブレード１４は、ハブ１３の内周側に設けた内周翼１４Ａと、ハブ１３の外周側に設けた外周翼１４Ｂとからなる、多重構成としても良い。
【００１９】
ケーシング２０は、一端２０ａ側に形成された吸込口２９から羽根車１２に向けて、回転軸１１の軸線方向に沿って連続する吸込流路２１と、羽根車１２の外周側に円環状をなして形成されたディフューザ部３０と、ディフューザ部３０の外周（下流）側に周方向に連続して形成され、周方向に直交する断面における断面積が周方向に沿って漸次拡大する渦巻き状のボリュート部２２と、ボリュート部２２の最大面積部２２ｂに接続されて接線方向に延びる出口管２３と、を備えている。
ここで、最大面積部２２ｂに対しては、ボリュート部２２の周方向において、最小面積部２２ａと出口管２３とが隣接している。そしてボリュート部２２の最小面積部２２ａと出口管２３との間には、舌部２８が形成されている。
【００２０】
ディフューザ部３０は、羽根車１２の外周部全周にわたって、内周側（羽根車１２側）と外周側（ボリュート部２２側）とに開口している。このディフューザ部３０は、ケーシング２０の一部によって形成された環状円板部３１と、環状円板部３１に間隔を隔てて対向配置された環状円板３２と、環状円板３２に一体に形成され、環状円板３２の周方向に等間隔で設けられたディフューザベーン３３と、を備えている。ディフューザベーン３３は、環状円板３２の径方向に対し、傾斜して形成されている。これにより、環状円板３２の周方向において互いに隣接するディフューザベーン３３，３３の間隔は、内周側から外周側に向けて漸次拡大するようになっている。
このようなディフューザ部３０においては、環状円板部３１と環状円板３２との間が、ディフューザ流路３５とされている。
【００２１】
本実施形態においては、環状円板３２およびディフューザベーン３３からなるディフューザ部材３４は、ケーシング２０とは別体とされ、ケーシング２０の一部をなす環状円板部３１と、環状円板部３１に対向して形成されたケーシング２０の保持部２４との間に挟み込まれるように設けられている。そして、環状円板３２の内周側端部３２ａは、環状円板部３１との間隔が、羽根車１２の外周部１２ａから外周に行くにしたがって漸次縮小する湾曲面状とされている。
【００２２】
また、環状円板３２の外周側端部３２ｂは、保持部２４の外周側端部２４ａよりも外周側に延びて、ボリュート部２２内に突出するよう形成されている。環状円板３２において、保持部２４の外周側端部２４ａよりも外周側に、ディフューザ流路３５に面する側壁面３２ｃとその反対側の背面３２ｄとを連通する連通部４０Ａが形成されている。この連通部４０Ａは、環状円板３２の周方向において間隔を隔てて複数が形成された、それぞれ周方向に連続するスリット４１から形成することができる。
ここで、スリット４１等からなる連通部４０Ａは、背面３２ｄ側の開口端４０ａから側壁面３２ｃ側の開口端（開口部）４０ｂに向けて、ディフューザ部３０の内周側から外周側に傾斜するように形成するのが好ましい。
さらに、連通部４０Ａにおいて、ディフューザ流路３５側の開口端４０ｂは、ディフューザ流路３５の下流側に形成されているのが好ましい。この開口端４０ｂは、より好ましくは、ディフューザ部３０の外周部の半径に対し、ディフューザ部３０の中心側から７５％となる位置よりもさらに外周側に形成されているのが良い。これよりも内周側では開口端４０ａと開口端４０ｂとの静圧差が大きいため、連通部４０Ａからディフューザ部３０に導入される流れの速度が大きくなり、ディフューザ内部の流動を悪化させてしまう。
【００２３】
上記のように構成された遠心圧縮機１０の動作について以下に説明する。
遠心圧縮機１０は、図示しないモータあるいはタービン等の駆動装置によって、羽根車１２を回転軸１１回りに回転駆動させる。羽根車１２が回転することによって、外部から吸込口２９を通してケーシング２０内に取り込まれた流体が、吸込流路２１を羽根車１２に向けて流れる。
ケーシング２０内に導入された流体は、ハブ１３と一体に回転するブレード１４の回転によって遠心力が与られて圧縮される。圧縮された流体の流れは、羽根車１２の外周端から外周側のディフューザ部３０に流れ込む。ディフューザ部３０においては、羽根車１２から外周側に吐出される気流を、周方向において互いに隣接するディフューザベーン３３，３３間に通すことで、気流を減速させ、静圧を回復させる。そして、ディフューザ部３０から外周のボリュート部２２に流れ込んだ流体は、最小面積部２２ａから最大面積部２２ｂに向けて流れ、出口管２３から高圧圧縮流体として吐出される。
【００２４】
ここで、図３に示すように、環状円板部３１と環状円板３２との間のディフューザ流路３５に対し、連通部４０Ａを通して、ディフューザ部３０を経てボリュート部２２内に流れ込んだ高圧圧縮流体が引き込まれる。ディフューザ部３０においては、流量の低減に伴って、ディフューザ流路３５内に環状円板３２から剥離が発生し、その剥離による逆流領域Ｈがディフューザ部３０の後縁（外周側の縁部）に向けて延びて行く。このとき、ボリュート部２２から連通部４０Ａを経てディフューザ流路３５内に流れ込んだ高圧圧縮流体の流れＲにより、環状円板３２に沿った部分における流体の流量を増やすことができる。これによって、環状円板３２からの生じた大規模な剥離による逆流領域Ｈがディフューザ部３０の後縁に向けて延びるのを防ぐことができる。
これによって、ディフューザ部３０におけるサージングの発生を防ぐことが可能となり、遠心圧縮機１０の作動範囲を拡大することが可能となる。
【００２５】
また、連通部４０Ａが形成された環状円板３２およびディフューザベーン３３からなるディフューザ部材３４は、ケーシング２０とは別体としてもよい。これにより、連通部４０Ａの加工を、ディフューザ部材３４単体の状態で容易に行うことが可能となる。
【００２６】
ところで、上記の連通部４０Ａを構成する複数のスリット４１は、ディフューザ部３０の全周にわたって形成しても良いが、周方向の一部のみに形成することもできる。
ディフューザ部３０の下流側においては、断面積が周方向に沿って拡大するボリュート部２２において、周方向に不均一な静圧分布が舌部２８の近傍に存在することが知られている。
そこで、上記の連通部４０Ａを構成するスリット４１を、舌部２８を基準として、舌部から上流側３０度までの範囲にのみ形成しても良い。
また、上記の連通部４０Ａを構成するスリット４１を、圧力分布がある、舌部２８を基準として上流側３０度から下流側３０度の領域にのみ形成しても良い。
【００２７】
〔第２実施形態〕
次に、本発明の第２実施形態について説明する。以下に説明する第２実施形態において、上記第１実施形態と共通する構成については、図中に同符号を付してその説明を省略し、上記第１実施形態との差異を中心に説明を行う。
図４に示すように、本実施形態においては、連通部４０Ｂが、スリット４１ではなく貫通孔４２により形成されるとともに、この貫通孔４２からなる連通部４０Ｂが、環状円板３２の背面３２ｄ側の開口端４０ａから側壁面３２ｃ側の開口端４０ｂに向けて、環状円板３２の径方向に対し、ディフューザベーン３３の外周側端部３３ｂと平行に、同程度の角度だけ傾斜して形成されている。
【００２８】
このようにすると、連通部４０Ｂを通して開口端４０ｂからディフューザ流路３５内に流れ込む高圧圧縮流体は、周方向で隣接するディフューザベーン３３，３３間の流れを乱すのを抑えることができる。したがって、ディフューザ部３０におけるサージングの発生をより確実に防ぐことが可能となり、遠心圧縮機１０の作動範囲をさらに拡大することができる。
【００２９】
この場合も、上記の連通部４０Ｂを、舌部２８に対して上流側３０度までの範囲にのみ形成しても良い。
【００３０】
なお、本発明は、上記実施形態に限定されるものではなく、本発明の要旨を逸脱しない範囲内において適宜変更することができる。
例えば、連通部４０Ａ、４０Ｂは、その断面形状、大きさ、配置等について、何ら限るものではない。
また、連通部４０Ａ、４０Ｂを、内周側と外周側に複数列（複数重）に配置することも可能である。
また、ディフューザベーン３３は無くてもよく、ケーシング２０と保持部２４は一体構造としても良い。
【符号の説明】
【００３１】
１０  遠心圧縮機
１１  回転軸
１２  羽根車
１２ａ  外周部
１３  ハブ
１３ａ  端部
１３ｂ  端部
１３ｃ  湾曲面
１４  ブレード（遠心羽根）
１４Ａ  内周翼
１４Ｂ  外周翼
２０  ケーシング
２０ａ  一端
２１  吸込流路
２２  ボリュート部
２２ａ  最小面積部
２２ｂ  最大面積部
２３  出口管
２４  保持部
２４ａ  外周側端部
２８  舌部
２９  吸込口
３０  ディフューザ部
３１  環状円板部
３２  環状円板
３２ａ  内周側端部
３２ｂ  外周側端部
３２ｃ  側壁面
３２ｄ  背面
３３  ディフューザベーン
３３ｂ  外周側端部
３４  ディフューザ部材
３５  ディフューザ流路
４０Ａ，４０Ｂ  連通部
４０ａ  開口端
４０ｂ  開口端（開口部）
４１  スリット
４２  貫通孔
【図１】
2014114727.tif 000003
【図２】
2014114727.tif 000004
【図３】
2014114727.tif 000005
【図４】
2014114727.tif 000006